(57)【要約】【課題】ホストコンピューターから電力供給をうける電子機器のスタンバイ中の消費電力をよりいっそう低減させる。【解決手段】電源選択手段が、ＵＳＢインターフェースからの供給をうける場合には、主電源からの電力供給を停止させる電力出力手段を備える。【選択図】　　　図１
2004054408.tif 000002
【特許請求の範囲】
【請求項１】
ＵＳＢインターフェイス部を介してホストコンピュータと接続する電子機器であって、
前記ホストコンピュータから電力供給がなされているか否かを検出する電力検出手段を有するＵＳＢ制御手段と、
電源供給を行う主電源と、
電源供給源として、前記主電源またはＵＳＢインターフェイス部のいずれか選択する電源選択手段と、
前記電源選択手段が、前記ＵＳＢインターフェイス部を選択した場合、前記主電源からの電力供給を停止させる電力出力手段とを有することを特徴とする電子機器。
【請求項２】
前記電子機器は該機器を制御するシステム制御部をさらに有し、前記システム制御部は、前記電力検出手段から検出信号の有りの指示を受けた場合、前記電力出力手段に対し前記主電源へ電力供給を停止させる指示を出力することを特徴とする請求項１に記載の電子機器。
【請求項３】
前記電子機器装置が待機状態に移行する際、前記電力検出手段によって前記ホストコンピュータからの電力供給を検出すれば、前記電源選択手段は、電源供給源として、前記ＵＳＢインターフェイス部を選択することを特徴とする請求項１に記載の電子機器。
【請求項４】
前記電子機器が待機状態にある場合、所定の入力によって、前記電源選択手段は、前記ＵＳＢインターフェイス部から前記主電源に切り替えることを特徴とする請求項２に記載の電子機器。
【請求項５】
前記電子機器は、さらに起動スイッチ手段を有し、前記所定の入力は前記起動スイッチ手段からの入力であることを特徴とする請求項４に記載の電子機器。
【請求項６】
前記所定の入力は、前記ＵＳＢインターフェイスを介したデータ信号であることを特徴とする請求項４に記載の電子機器。
【請求項７】
前記システム制御部は、ＣＰＵとシステム制御とＵＳＢ制御部とを有し、消費電力を低減するために、前記ＣＰＵ、前記システム制御ＩＣ、前記ＵＳＢ制御部のクロック信号の周波数を低下させることを特徴とする請求項２に記載の電子機器。
【請求項８】
ホストコンピュータからＵＳＢインターフェイスを介してサスペンド信号が入力されると、前記ＣＰＵ、前記システム制御ＩＣのクロック信号を停止し、前記ＵＳＢ制御部のみクロック信号を動作させることで、消費電力の更なる低減がなされることを特徴とする請求項７に記載載の電子機器。
【請求項９】
前記ＵＳＢインターフェイス部を介してリジューム信号が入力された場合に、前記ＣＰＵと前記システム制御ＩＣは低周波数のクロック信号にて動作を開始することを特徴とする請求項８に記載の電子機器。
【請求項１０】
前記主電源はスイッチング電源であって、前記電源出力手段からの制御信号により前記スイッチング電源の動作を行うことを特徴とする請求項１に記載の電子機器。
【請求項１１】
前記システム制御部は、前記所定の入力があった場合には、前記電源出力手段に対して電源供給を開始する信号を出力することを特徴とする請求項４に記載の電子機器。
【請求項１２】
所定の期間、前記所定の入力信号がなければ、前記システム制御部は、前記電力検出手段からの検出信号が有りと判断した場合、前記電源出力手段に対して前記主電源の出力を停止するための制御信号を出力することを特徴とする請求項１１に記載の電子機器。
【請求項１３】
ＵＳＢインターフェイス部を介してホストコンピュータと接続する記録装置であって、
前記ホストコンピュータから電力供給がなされているか否かを検出する電力検出手段を有するＵＳＢ制御手段と、
電源供給を行う主電源と、
電源供給源として、前記主電源またはＵＳＢインターフェイス部のいずれか選択する電源選択手段と、
前記電源選択手段が、前記ＵＳＢインターフェイス部を選択した場合、前記主電源からの電力供給を停止させる電力出力手段とを有することを特徴とする記録装置。
【発明の詳細な説明】
【０００１】
【発明の属する技術分野】
本発明は、ＵＳＢインターフェイスを介してホストコンピュータと通信し、所定の動作を行う電子機器、及び記録装置に関する。
【０００２】
【従来の技術】
パーソナルコンピュータ等においては入力装置（例えば、キーボードやマウス等）を操作しない時間が所定時間続いた場合、コンピュータが使用してない状態であると判断し、ＣＲＴモニタを低消費電力モードに切り替えて装置の消費電力を抑制している。
【０００３】
これと同様にＵＳＢインターフェイスを通してホストコンピュータに接続して使用する電子機器（例えばプリンタやスキャナ等）においてもある一定時間ホストコンピュータとの間で通信が行われていない場合には、低消費電力モードに切り替えて装置の消費電力を抑制している。例えばインクジェットプリンタ装置のスタンバイ時おける省電力について具体的に説明する。
【０００４】
まず、インクジェットプリンタ装置の制御システムの構成について説明する。
【０００５】
図２はインクジェットプリンタ装置の制御システムの構成を示すブロック図である。
【０００６】
このブロック図において、１０１はホストコンピュータで、所定のＯＳに基づいてシステムプログラムが各種アプリケーションプログラムの実行状態を管理しており、プリンタに画像データを送信するためのプリンタ制御プログラム（プリンタドライバ）はこのシステムプログラム上で動作する。
【０００７】
１０２はインクジェットプリンタで１０３はインクジェットプリンタ１０２のシステム制御部である。１０４はホストコンピュータ１０１からの画像データを取り込むためのインターフェイスでパラレル（セントロＩ／Ｆ）あるいはシリアル（ＵＳＢＩ／Ｆ）のインターフェイスが使われる。１０５はプリンタを印字可能状態にするための起動スイッチや印字可能状態になったことを目視で分かるようにするための発光ＬＥＤを載せたオペレーション部である。
【０００８】
１０６はＣＰＵ、１０７はＣＰＵ１０６が実行する制御プログラムを格納するプログラムＲＯＭ、１０８は各種データ（前記画像データやヘッドに転送する印字データ等）を一時的に置くためのダイナミックＲＡＭ（ＤＲＡＭ）である。１０９はホストコンピュータ１０１からの画像データを印字データに変換し、その印字データを記録ヘッド１１０に転送する制御を行うシステム制御ＩＣである。１１１は記録ヘッド１１０を搬送するためのキャリアモータ、１１２は記録紙搬送のための紙搬送モータである。
【０００９】
１１３、１１４はキャリアモータ１１１、紙搬送モータ１１２を駆動するためのモータドライバで、印字動作を行うときに紙面上に画像が形成されるようシステム制御ＩＣ２１０により印字データ処理とともに制御している。
【００１０】
１１５は主電源であり、システム制御部１１３、記録ヘッド１１０、モータドライバ１１３，１１４を駆動するための電力を供給する。
【００１１】
プリンタ装置１０２の電力制御はシステム制御ＩＣ１０９にて行っており、印字動作が終了してスタンバイ状態になった後、ある一定時間オペレーション部１０５へのキー入力が無い場合、さらにホストコンピュータ１０１との間で通信がない場合は、プリンタ装置１０２自体を低消費電力モードに移行するよう各部を制御する。例えば、記録ヘッド１１０や各種センサ類への電力供給を止めたり、ＣＰＵ１０６やシステム制御ＩＣ１０９内部の動作クロックを低速にする（クロック信号の周波数を低くする）、あるいは停止する等の処理を行うことで、ＣＰＵ１０６やシステム制御ＩＣ１０９の低消費電力化を行う。プリンタ装置１０２がこうした低消費電力モードで待機している間に、オペレーション部１０５からのキー入力、あるいはホストコンピュータ１０１からのデータを受信したならば、まずＣＰＵ１０６やシステム制御ＩＣ１０９を低消費電力モードから通常モードに移行し、次に主電源１１５も正規の駆動電力が出力されるように、そして各種センサや記録ヘッド１１０にも電力が入力されるようにシステム制御ＩＣ１０９にて制御する。その後プリンタ装置１０２への前記アクションに対して所定の動作を行うようにしている。
【００１２】
また、ＵＳＢ機器における省電力化について特開平１１−３０５８８０号公報に記載されているが、ホストコンピュータの電源がＯＦＦの時においても、ホストコンピュータからの送信が再開される場合を想定して、機器内部の制御部に対して電力が常に供給されている点に着目しており、ホストコンピュータの電源がＯＦＦの時には、ＵＳＢ機器がその状態を検出して機器内部で消費する電力を削減するようにしている。
【００１３】
【発明が解決しようとする課題】
しかしながら、上記インクジェットプリンタ装置では従来例のようにスタンバイ時においてある程度の省電力化が図られていたが、待機時の消費エネルギー削減の取り組みが活発になっていることから、今後より一層の省電力化を進めていかねければならない。このため、例えばプリンタ装置に組み込まれている各種ＩＣを待機時の消費電力が少ないタイプのものに変更することや、あるいはスタンバイ時の主電源の消費電力をさらに削減する手段が考えられる。
【００１４】
しかし、これらを実現するには開発する時間が更に必要となり、また実用化のためにコストアップになることも考えられる。
【００１５】
さらに、前述した特開平１１−３０５８８０号公報で記載しているＵＳＢ機器の場合、ホストコンピュータの電源がＯＦＦの時において、ＵＳＢ機器の消費電力を削減することを可能にしているが、ホストコンピュータの電源がＯＮの状態においては、機器の制御部に対して通常の電力が供給されているようになるため、ホストコンピュータの電源がＯＮの場合には、機器がスタンバイ状態であれば低消費電力化が図ることができない。
【００１６】
【課題を解決するための手段】
上記課題を解決するために、本発明の電子機器は、ＵＳＢインターフェイス部を介してホストコンピュータと接続する電子機器であって、前記ホストコンピュータから電力供給がなされているか否かを検出する電力検出手段を有するＵＳＢ制御手段と、電源供給を行う主電源と、電源供給源として、前記主電源またはＵＳＢインターフェイス部のいずれか選択する電源選択手段と、前記電源選択手段が、前記ＵＳＢインターフェイス部を選択した場合、前記主電源からの電力供給を停止させる電力出力手段とを有することを特徴とする。
【００１７】
また、本発明の記録装置は、ＵＳＢインターフェイス部を介してホストコンピュータと接続する記録装置であって、前記ホストコンピュータから電力供給がなされているか否かを検出する電力検出手段を有するＵＳＢ制御手段と、電源供給を行う主電源と、電源供給源として、前記主電源またはＵＳＢインターフェイス部のいずれか選択する電源選択手段と、前記電源選択手段が、前記ＵＳＢインターフェイス部を選択した場合、前記主電源からの電力供給を停止させる電力出力手段とを有する。
【００１８】
【発明の実施の形態】
以下、図面を参照して本発明の実施例を詳細に説明する。まず、本実施例に係るホストコンピュータ及び電子機器（例えばインクジェットプリンタ装置）の制御システムの構成について説明する。
【００１９】
図１は実施例におけるインクジェットプリンタ装置の制御システムの構成を示すブロック図である。このブロック図において、２０１はホストコンピュータで所定のＯＳに基づいてシステムプログラムが各種アプリケーションプログラムの実行状態を管理している。このシステムプログラム上で動作するプリンタ制御プログラム（プリンタドライバ）は、各種アプリケーションプログラム上で作成された画像データをプリンタ装置２０２へ出力するためのものである。
【００２０】
２０３はプリンタ装置２０２のシステム制御部でありプリンタ装置２０２内の各部分を制御している。２０４はＵＳＢ規格に準拠したプロトコルによって情報の送受信が可能なＵＳＢ制御部であり、その内部にはホストコンピュータとのデータ通信を制御するＵＳＢ通信部２０５、ＵＳＢインターフェイスのＶ　ｂｕｓ＋５Ｖ端子を通してホストコンピュータからの電力供給がされているかどうかを検出するための電力検出手段２０６を有している。
【００２１】
２０７はＣＰＵで、２０８はＣＰＵ２０７が実行する各制御プログラムを格納するプログラムＲＯＭ、２０９はＤＲＡＭで画像データや記録ヘッドに転送する印字データを一時的に置くための記憶手段である。
【００２２】
２１０はシステム制御ＩＣ（例えばＡＳＩＣ）２１０であり、主にホストコンピュータ２０１から受けとった画像データを記録ヘッドのノズル列に合うような画像データに変換するデータ変換処理や、その変換した画像データを記録ヘッドに転送するデータ転送処理、記録ヘッドから紙面にインクを吐出するための記録ヘッドの駆動制御、画像を形成するための各種モータのドライバＩＣを制御するためのモータ駆動制御、システム内の時間管理（ある特定した時間をセットし、その時間が経過する毎にＣＰＵ２０７に対して割り込み処理を行う）を行うためのタイマー制御を行う。
【００２３】
２１１はプリンタを印字可能状態（ＯＮ　ＬＩＮＥ）にするための起動スイッチや印字可能状態になったことを目視で分かるようにするための発光ＬＥＤを有するオペレーション部である。
【００２４】
２１２は記録ヘッドである。２１３は記録ヘッド２１２を搬送するためのキャリアモータ、２１４は記録紙搬送のための紙搬送モータである。２１５、２１６はキャリアモータ２１３、紙搬送モータ２１４を駆動するためのモータドライバである。
【００２５】
２１７はプリンタ装置２０２の主電源であり、プリンタ装置２０２の各部分に駆動電力を供給している。また主電源２１７は電源制御手段２１８からの制御信号により駆動電力の出力のオン・オフが行われる。
【００２６】
２１８は電源制御手段であり、システム制御ＩＣ２１０からの制御信号を受けて、主電源２１７からの電力供給の出力・停止の制御を行う。また、ＵＳＢインターフェイスを通じてホストコンピュータから電力供給される５ボルト電源と主電源からのロジック電源５ボルトのどちらかを選択して、システム制御部２０３に供する。
【００２７】
次に主電源２１７について詳しく説明する。本実施例では主電源としてスイッチング電源を使用する。図３は、実施例における主電源２１７の詳細を示す回路構成図である。
【００２８】
まず、ＡＣ入力がフィルタ回路３０１、整流回路３０２及び平滑回路３０３を経て絶縁トランス３０４に供給され、ＦＥＴ３０５によりスイッチングされる。絶縁トランス３０４は、一次側巻線３０６、二次側巻線３０７、補助巻線３０８で構成されている。ＦＥＴ３０５は抵抗３０８を介して発振制御回路３０９に接続されている。発振制御回路３０９は絶縁トランス３０４の一次側の発振制御を行うＩＣであって、その電源Ｖｄｄは補助捲線３１０により供給される。絶縁トランス３０４の二次側巻線３０６からは第１及び第２の整流・平滑回路３１１、３１２を介してモータ駆動電源ＶＭ、印字ヘッド駆動電源ＶＨ、システムロジック電源ＶＤＤを各ブロックに供給する。
【００２９】
さらに、第１の整流・平滑回路３１１には電流検出回路３１３が接続され、また第１及び第２の整流・平滑回路３１１、３１２には過電圧検出回路３１４が接続されている。
【００３０】
そして、これら電流検出回路３１３及び過電圧検出回路３１４の出力信号はフォトカプラ３１５、３１６を介して発振制御回路３０９にフィードバックされる。
【００３１】
また、発振制御回路３０９は二次側電流によりＰＷＭ制御が行なわれ、過電圧検出回路３１４により過電圧が検出されたときは、ＶＭ、ＶＨ，ＶＤＤを遮断するように構成されている。
【００３２】
電源制御信号は、フォトカプラ３１７を介して発振制御回路３０９に入力される。すなわち、電源制御信号がローレベルのときはトランジスタ３１８がオンしてフォトカプラ３１７に電流が流れる。そして、フォトカプラ３１７は電流電圧変換を行って発振制御回路３０９の入力ポートＩＮ１にローレベル信号を入力し、次いで前記ローレベル信号に基づいて発振制御回路３０９の出力ポートＯＵＴ１が発振するため、一次側がＦＥＴ３０５を介して発振し、二次側に電力を供給する。
【００３３】
一方、電源制御信号がハイレベルのときはトランジスタ３１８がオフするため、発振制御回路３０９の入力ポートＩＮ１にはハイレベル信号が入力される。前記ハイレベル信号により発振制御回路３０９の出力ポートＯＵＴ１は発振せずＦＥＴ３０５はオフし、一次側の発振を停止させて二次側への電力の供給を停止するのである。
【００３４】
尚、３１９〜３２１は電流制限用の抵抗、３２２、３２３は分圧抵抗であり、フォトカプラ３１７は一次側及び二次側の絶縁も行う。
【００３５】
次に実施例に関係する電子機器（ここではプリンタ装置）の動作についてさらに詳しく説明する。図４は、プリンタ装置２０２が電源ＯＮ（ＡＣ電源入力）してからスタンバイ時におけるパワーキーＯＦＦ状態での低消費電力モード（パワーキーＯＦＦ＿０Ｗスタンバイ状態）に移行するまでの動作についてのフローチャートである。
【００３６】
プリンタ装置２０２はホストコンピュータとＵＳＢインターフェイスを介して接続されている状態にある。
【００３７】
まず、プリンタ装置２０２の主電源２１７にＡＣ電源が投入される（Ｓ１）と、電源制御手段２１８からの電源制御信号はデフォルトがローレベル信号（“Ｌ”出力）であるので発振制御回路３０９は動作する。また、電源制御手段２１８はシステム制御ＩＣ２１０からの制御信号のデフォルトが主電源２１７からの電力をシステム制御部２０３に入力するように設定されている（Ｓ２）ため、主電源２１７から受けたシステム用の５ボルト出力を電源制御手段２１８を通してシステム制御部２０３の各ブロックへ供給する。モータ駆動用電源、ヘッド駆動用電源も主電源２１７から供給することが可能な状態になっている。
【００３８】
システム制御部２０３に電源が供給されるとＣＰＵ２０７、システム制御ＩＣ２１０がイニシャライズ処理を開始し（Ｓ３）、終了後キー入力待ち状態（パワーキーＯＦＦ＿スタンバイ状態）となる（Ｓ４）。このときシステム制御ＩＣ２１０ではタイマー処理をスタートさせ（Ｓ５）、ある一定時間Ｔ１（例えば１分間）経過するまでタイムカウントを行う。
【００３９】
Ｔ１時間内にオペレーション部２１１上にあるパワーキーが押下された場合は、オペレーション部２１１からオン信号が出力され（Ｓ７）、それがシステム制御ＩＣ２１０の入力ポートに入力される。システム制御ＩＣ２１０がパワーキーＯＮ入力を検出すると、記録ヘッド、および各種モータのイニシャライズ等のパワーＯＮ処理シーケンスを行い（Ｓ８）、終了後オペレーション部２１１上のパワーＬＥＤを点灯させる（Ｓ９）。その後ホストコンピュータ２０１からのデータ受信待ちおよびキー入力待ち状態となる（Ｓ１０）（パワーキーＯＮ＿スタンバイ状態）。
【００４０】
Ｔ１時間内にオペレーション部２１１へのキー入力がなかった場合には、システム制御ＩＣ２１０はタイマー処理終了後、電力検出手段２０６にてＵＳＢインターフェイス２０４を通してホストコンピュータ２０１からプリンタ装置２０２へ電力供給がされているかどうか確認する（Ｓ１１）。電力検出手段２０６から電力検出信号が入力されているのであれば、システム制御ＩＣ２１０自身とＣＰＵ２０７、ＵＳＢ制御部２０４内部の動作クロックを低速にして（Ｓ１２）、システム制御部２０３内部の消費電力低減を図る。次に電源制御手段２１８に対して電源切り替え信号を送り、システム制御部２０３内への５Ｖ電源供給を主電源２１７からではなく、ＵＳＢインターフェイス２０４を通してホストコンピュータ２０１から行うようにする（Ｓ１３）。このときシステム制御部２０３内の消費電力はＵＳＢ規格に準じた電源供給量（５００ｍＡ以下）になるようにしている。次にシステム制御部２０３は電源制御手段２１８にハイレベル（“Ｈ”出力）の電力制御信号を主電源２１７に送る（Ｓ１４）よう制御して主電源２１７からのシステム用５Ｖ電源、モータ駆動用電源、ヘッド駆動用電源の全て電源供給を停止する（Ｓ１５）。
【００４１】
こうして、プリンタ装置２０２は低消費電力モード“パワーキーＯＦＦ＿０Ｗスタンバイ状態”に移行し、スタンバイ時における主電源２１７が消費する電力は主電源２１７内部の１次側で消費する値（ほぼ０Ｗに近い値）にするができるのである（Ｓ１６）。
【００４２】
また、プリンタ装置２０２が低消費電力モードであるときに、プリンタ装置２０２のシステム用５ボルト電源はホストコンピュータ２０１から供給しているため、ホストコンピュータ２０２の消費電力はその分大きくなってしまうが、プリンタ装置２０２の主電源２１７を動作させて供給するのに比べて、ホストコンピュータ２０１とプリンタ装置２０２のシステム全体で考えれば、電力消費の効率が良くなるため、システム全体の消費電力は低くなるのである。
【００４３】
ちなみにこの“パワーキーＯＦＦ＿０Ｗスタンバイ状態”ではシステム制御ＩＣ２１０はオペレーション部２１１からのキー入力の検出、電源制御手段２１８への電源切り替え信号、電力制御信号の出力、電力検出手段２０６からの電力検出信号の監視は可能な状態にしている。従ってオペレーション部２１１からのキー入力の検出が検出されれば“パワーキーＯＮ＿スタンバイ状態”に移行し、また電力検出手段２０６からの電力検出信号が検出されない状態（ホストコンピュータ電源ＯＦＦあるいはＵＳＢインターフェイスケーブル取り外しの場合）であれば、システム制御ＩＣ２１０が電源制御手段２１８に対してローレベル電力制御信号を主電源２１８に出力し（Ｓ１７）、プリンタ装置２０２への５Ｖ電源供給を主電源２１８から行うようにして“パワーキーＯＦＦ＿スタンバイ状態”に移行するのである（Ｓ１８）。
【００４４】
図５はプリンタ装置２０２が“パワーキーＯＮ＿スタンバイ状態”から低消費電力モード“パワーキーＯＮ＿０Ｗスタンバイ状態”に移行するまでのプリンタ装置の動作についてのフローチャートである。
【００４５】
まずシステム制御ＩＣ２１０ではオペレーション部２１１上のパワーキーが押下されてプリンタ装置２０２内部が“パワーキーＯＮ＿スタンバイ状態”になった直後にタイマー処理をスタートさせ（Ｓ２１）、ある一定時間Ｔ２（例えば５分間）経過するまでタイムカウントを行う（Ｓ２２）。
【００４６】
前記Ｔ２時間内にホストコンピュータ２０１からデータ信号が受信されない場合には、システム制御ＩＣ２１０はタイマー処理終了後、電力検出手段２０６から電力検出信号が入力されているか確認し（Ｓ２３）、入力されていればシステム制御ＩＣ２１０自身とＣＰＵ２０７、ＵＳＢ制御部２０４内部の動作クロックを低速に移行する（クロック信号の周波数を低くする）（Ｓ２４）。
【００４７】
次に電源制御手段２１８に対して電源切り替え信号を出力し、システム制御部２０３内への５Ｖ電源供給を主電源２１７からではなく、ＵＳＢインターフェイス２０４を通してホストコンピュータ２０１から行うようにする（Ｓ２５）。さらに電源制御手段２１８に対してハイレベル電力制御信号（“Ｈ”出力）を主電源２１８に送るよう制御して（Ｓ２６）、主電源２１８からの電源供給を停止する（Ｓ２７）。
【００４８】
こうして、プリンタ装置２０２は低消費電力モード“パワーキーＯＮ＿０Ｗスタンバイ状態”に移行し（Ｓ２８）、パワーＯＮ時のスタンバイにおける主電源２１７から見たプリンタ装置２０２の消費電力をほぼ０Ｗに近い値にするができるのである。
【００４９】
この“パワーキーＯＮ＿０Ｗスタンバイ状態”は“パワーキーＯＦＦ＿０Ｗスタンバイ状態”と同様に、主電源２１８一次側の発振制御回路３０９のＦＥＴへの出力が発振しておらず、二次側への電力の供給を停止している状態であるため、２つのスタンバイ状態における主電源２１７が消費する電力は同じレベルである。
【００５０】
また、この“パワーキーＯＮ＿０Ｗスタンバイ状態”ではシステム制御ＩＣ２１０はホストコンピュータ２１０からのデータ信号の監視、オペレーション部からのキー入力の検出、電源制御手段２１８への電源切り替え信号や電力制御信号の出力、電力検出手段２０６からの電力検出信号の監視は可能な状態にしている。
【００５１】
従って、ホストコンピュータ２０１からのデータ信号の受信があればシステム制御ＩＣ２１０が電源制御手段２１８を制御して、電源供給を主電源２１８から行うように切り替え、システム制御ＩＣ２１０とＣＰＵ２０７、ＵＳＢ制御部２０４の内部動作クロック信号の周波数を通常の周波数に戻す。これにより、システム制御ＩＣ２１０とＣＰＵ２０７は、ホストコンピュータ２０１からの画像データの変換処理を行い、記録ヘッドや各種モータの制御を行い、記録動作を実行させる。
【００５２】
また、“パワーキーＯＮ＿０Ｗスタンバイ状態”からパワーＯＦＦにするためにパワーキーが押下された場合は、オペレーション部２１１からのパワーキー信号がシステム制御ＩＣ２１０に入力されて“パワーキーＯＦＦ＿スタンバイ状態”に移行し、さらに電力検出手段２０６からの電力検出信号が検出されない状態（ホストコンピュータ電源ＯＦＦあるいはＵＳＢインターフェイスケーブル取り外しの場合）になった場合は、システム制御ＩＣ２１０が電源制御手段２１８を制御してプリンタ装置２０２への５Ｖ電源供給を主電源２１８から行うようにして“パワーキーＯＮ＿スタンバイ状態”に移行するのである。
【００５３】
図６はプリンタ装置２０２の印字動作が終了してからスタンバイ時における低消費電力モードに移行するまでの装置の制御フローチャートである。
【００５４】
プリンタ装置２０２の印字動作シーケンスが終了すると（Ｓ３１）、システム制御ＩＣ２１０はタイマー処理をスタートさせ（Ｓ３２）、ある一定時間Ｔ２（例えば５分間）経過するまでタイムカウントを行う（Ｓ３３）。
【００５５】
前記Ｔ２時間内にホストコンピュータから新たなデータ信号が受信されない場合には、システム制御ＩＣ２１０はタイマー処理終了後、電力検出手段２０６から電力検出信号が入力されているか確認し（Ｓ３４）、入力されているのであればシステム制御ＩＣ２１０とＣＰＵ２０７、ＵＳＢ制御部２０４内部の動作クロックを低速にする（Ｓ３５）。次に電源制御手段２１８に対して電源切り替え信号を出力し、システム制御部２０３への５Ｖ電源供給を主電源２１７からではなく、ＵＳＢインターフェイス２０４を通してホストコンピュータ２０１から行うように切り替える（Ｓ３６）。次に電源制御手段２１８に対してハイレベル電力制御信号（“Ｈ”出力）を主電源２１８に送るよう制御して（Ｓ３７）、主電源２１８からの電源供給を停止する（Ｓ３８）。こうして、プリンタ装置２０２は低消費電力モード“パワーキーＯＮ＿０Ｗスタンバイ状態”に移行する（Ｓ３９）。
【００５６】
プリンタ装置２０２がシステム制御部２０３への５Ｖ電源供給をＵＳＢインターフェイス２０４を通してホストコンピュータ２０１から行う低消費電力モード（“パワーキーＯＮ＿０Ｗスタンバイ状態”あるいは“パワーキーＯＦＦ＿０Ｗスタンバイ状態”）にある時、ホストコンピュータ２０１からサスペンド信号が送られてきた場合には、プリンタ装置が消費する電力をＵＳＢの電源供給の規格である５００μＡ以下にするよう、更なる低消費電力化を図るようにしている。
【００５７】
図７は、この時のプリンタ装置２０２内の動作について説明したフローチャートである。プリンタ装置２０２が低消費電力モード状態（“パワーキーＯＮ＿０Ｗスタンバイ状態”あるいは“パワーキーＯＦＦ＿０Ｗスタンバイ状態”）である時（Ｓ７１）、システム制御ＩＣ２１０、ＣＰＵ２０７、ＵＳＢ制御部２０４の内部動作クロック信号は低速クロックで動作している（低い周波数で動作している）。ホストコンピュータ２０１からサスペンド信号が送られてきた場合は（Ｓ７２）、まずＵＳＢコントローラ２０５にてその信号を認識し、サスペンド情報をシステム制御ＩＣ２１０に伝える。次にシステム制御ＩＣ２１０は、システム制御ＩＣ２１０自身とＣＰＵ２０７の内部動作クロック信号を停止させ（Ｓ７３）、ＵＳＢ制御部２０４に対してはホストコンピュータ２０１から送られてくるレジューム信号を認識できるよう内部動作クロックは低速のままにする。この状態が、システム制御部２０３が消費する電力が最も低くなるモード“最低消費電力モード”であり（Ｓ７４）、システム制御部が消費する電力を５００μＡ以下にしている。
【００５８】
この最低消費電力モードでは、システム制御ＩＣ２１０の内部動作クロックは停止しているが、ＵＳＢコントローラ２０５からのレジューム信号の監視、オペレーション部２１１からのキー入力の検出、電源制御手段２１８への電力検出手段２０６からの電力検出信号の監視は可能な状態にしている。
【００５９】
例えば、ホストコンピュータ２０１からレジューム信号が送られてきた場合は、まずＵＳＢ制御部２０４のＵＳＢ通信部２０５にてレジューム信号を送信されてきたことを認識し、その情報をシステム制御ＩＣ２１０に伝える。そして、システム制御ＩＣ２１０、ＣＰＵ２０７、ＵＳＢ制御部２０４を低い周波数の内部動作クロック信号で動作させ（Ｓ７６）、低消費電力モード状態に移行する。
【００６０】
また、オペレーション部２１１からのキー入力の検出が検出されれば“最低消費電力モード”に移行する前の低消費電力モード時の状態が“パワーキーＯＮ＿０Ｗスタンバイ状態”であれば、“パワーキーＯＦＦ＿スタンバイ状態”に、“パワーキーＯＦＦ＿０Ｗスタンバイ状態”であれば“パワーキーＯＮ＿スタンバイ状態”に移行する。
【００６１】
さらに電力検出手段２０６から電力検出信号が検出されない状態（ホストコンピュータ電源ＯＦＦあるいはＵＳＢインターフェイスケーブル取り外しの場合）になったならば、システム制御ＩＣ２１０が電源制御手段２１８に対してローレベルの電力制御信号を主電源２１８に送るよう制御し、プリンタ装置２０２への５Ｖ電源供給を主電源２１８からの行うようにして“最低消費電力モード”に移行する前の低消費電力モード時の状態が“パワーキーＯＮ＿０Ｗスタンバイ状態”であれば、“パワーキーＯＮ＿スタンバイ状態”に、“パワーキーＯＦＦ＿０Ｗスタンバイ状態”であれば“パワーキーＯＦＦ＿スタンバイ状態”に移行するのである。
【００６２】
図８は、本実施例で説明したインクジェットプリンタ装置の斜視図である。１００５は記録ヘッドであり、キャリッジ１００４上に搭載されてシャフト１００３に沿って長手方向に往復運動可能となっている。記録ヘッドより吐出されたインクは、記録ヘッドと微小な間隔をおいて、プラテン１００１に記録面を規制された被記録材１００２に到達し、その上に画像を形成する。
【００６３】
記録ヘッドには、フレキシブルケーブル１０１９を介して画像データに応じて吐出信号が供給される。なお、１０１４はキャリッジ１００４をシャフト１００３に沿って走査させるためのキャリッジモーターである。１０１３はモーター１０１４の駆動力をキャリッジ１００４に伝達するワイヤである。また、１０１８はプラテンローラー１００１に結合して被記録材１００２を搬送させるための搬送モーターである。
【００６４】
【発明の効果】
以上説明した通り、本発明により、ＵＳＢインターフェイスを備えた電子機器装置がスタンバイ状態にある場合において、ＵＳＢインターフェイスを介してホストコンピュータから電力が供給されている場合には、主電源からではなくＵＳＢインターフェイスからの電源によって供給することで、消費電力を抑制することができる。
【図面の簡単な説明】
【図１】実施例におけるインクジェットプリンタ装置の制御システム構成を示すブロック図
【図２】従来例におけるインクジェットプリンタ装置の制御システム構成を示すブロック図
【図３】実施例における主電源の構成を示す回路構成図
【図４】電源投入後からパワーキーＯＦＦ状態での低消費電力モードに移行するまでのインクジェットプリンタ装置の動作を示すフローチャート
【図５】パワーキーＯＮスタンバイ状態から低消費電力モードに移行するまでのインクジェットプリンタ装置の動作を示すフローチャート
【図６】印字動作終了後から低消費電力モードに移行するまでのインクジェットプリンタ装置の動作を示すフローチャート
【図７】低消費電力モード時にサスペンド信号を受信した場合のインクジェットプリンタ装置の動作を示すフローチャート
【図８】インクジェットプリンタ装置の斜視図
【符号の説明】
２０１　ホストコンピュータ
２０２　インクジェットプリンタ
２０３　システム制御部
２０４　ＵＳＢ制御部
２０５　ＵＳＢ通信部
２０６　電圧検出手段
２０７　ＣＰＵ
２１０　システム制御ＩＣ
２１１　オペレーション部
２１７　主電源
２１８　電源制御手段
【図１】
2004054408.tif 000003
【図２】
2004054408.tif 000004
【図３】
2004054408.tif 000005
【図４】
2004054408.tif 000006
【図５】
2004054408.tif 000007
【図６】
2004054408.tif 000008
【図７】
2004054408.tif 000009
【図８】
2004054408.tif 000010